(57)【要約】      （修正有）【課題】被包装体を被覆するシュリンクフイルムにおいて、シュリンク包装後にミシン目を施し、包装用容器から容易に剥離することができるミシン目装置を提供する。【解決手段】被包装体を被覆して構成される熱収縮性のシュリンクフイルムおいてシュリンクフイルムが容易に剥離するために、包装容器をシュリンク後にミシン目を設け、さらにミシン刃を２枚重ねてミシン刃の切れ目がランダムになるような穴開け装置を構成した。シュリンク包装後にミシン目加工するので、どんな材質の被包装体でも、ミシンの刃の荷重を均一に調節出来るようベルトコンベアー１のベルト１−ｃに衝撃吸収シート１−ａを、接着層１−ｂを介して貼りつけた構成になっている。【選択図】図１
0003199355.tif 000002
【実用新案登録請求の範囲】
【請求項１】
ベルトコンベアにて移動するシュリンク包装体のシュリンクに回転するミシン刃によってミシン目加工するシュリンクフイルムのミシン目加工装置であって、
ミシン刃の荷重を均一に調節できるように、ミシン刃をベルトコンベアのベルトに接離移動できる手段を設けると共に、
ベルトコンベアのベルト上に厚さが１．００ｍｍから３．００ｍｍで落球衝撃吸収率が８５％であり表面粘着性が無い衝撃吸収シートを形成してなることを特徴とするシュリンクフイルムのミシン目加工装置。
【請求項２】
前記ミシン刃が重ねて２個設けている請求項１記載のシュリンクフイルムのミシン目加工装置。
【考案の詳細な説明】
【技術分野】
【０００１】  本考案は被包装体を被覆するシュリンクフイルムにおいて、容易に被包装体から剥離することが出来るようにシュリンクフイルムにミシン目を開ける装置に関する。
【背景技術】
【０００２】近年、ＣＤやＤＶＤ等を詰めた包装用容器をフイルムでシュリンク包装している商品が増大している。又製品本体を複数纏めるためにシュリンク包装する商品も増えている。【０００３】従来のシュリンク包装は非常にタイトで引き裂きにくいものが大部分である。
【先行技術文献】
【特許文献】
【０００４】
【特許文献１】特開２００３−３２７２７１
【考案の概要】
【考案が解決しようとする課題】
【０００５】本考案は、以上のような従来の欠点に鑑み被包装体を被覆するシュリンクフイルムにおいて、容易に被包装体から剥離することができるシュリンクフイルムにミシン目を開ける装置である。
【課題を解決するための手段】
【０００６】（１）上記目的を達成しるために包装用容器を被服して構成されるシュリンクフイルムにミシン目を開ける手段において従来はシュリンク包装前にミシン目加工を施していたが、本考案はシュリンク包装後にミシン目加工を施すので、シュリンク包装前にミシン目加工では包装仕上がりが悪かったり、ミシン目が破れたりする事が全く無くなる。【００７】本考案はシュリンク包装後にミシン目加工を施すので、被包装体が紙の様に柔らかい場合ミシン目加工の時に被包装体を傷つける場合があるので、ベルトコンベアー（１）を動かす回転体が２つあって、回転体で回転するベルトコンベア（１）上のベルト（１−ｃ）に衝撃吸収シート（１−ａ）を接着層（１―ｂ）を介して貼りつけてミシン目の刃の荷重が均一になるように構成されている。【０００８】ミシン目を入れる装置は自重で動くカッターアーム（３）の先に２個のミシン刃を重ねて取り付け、カッターアーム制御棒（４−ａ，４−ｂ）を左右に動かすことでカッターアーム（３）の重量を規制するように構成されている。【０００９】  ミシン目を破り易くするために、ミシン目がランダムつくようミシン刃を２本重ねる構造にしている。【００１０】本考案のミシン目加工装置は被包装体（９）の巾規制ガイド（６−ａ及び６−ｂ）に直結しているレバー（５−ａ〜５−ｄ）をゆるめてスライドさせスケール（５−ｅ）に合わせて止める構造になっている。そうすることにより容易に巾を変える事が出来る。【００１１】（２）本考案のミシン目加工装置は被包装体（９）の高さ規制ガイド（７−ｂ）に直結しているレバー（７−ａ）をゆるめてスライドさせスケール（７−ｃ）に合わせ止める構造になっている。そうすることにより容易ミシン刃の高さを容易に変える事が出来る。【００１２】（３）本考案のミシン目加工装置は被包装体（９）に対するシュリンクフイルムに施すミシン目の位置規制ガイド（８−ｂ）に直結しているレバー（８−ａ）をゆるめてスライドさせスケール（８−ｃ）に合わせ止める構造になっている。そうすることにより被包装体（９）に施すミシン目の位置を容易に変える事が出来る。
【考案の効果】
【００１３】ミシン刃を２枚重ねて設けているのでミシン目がランダムに付き、被包装体を被覆するシュリンクフイルムを容易に被包装体から剥離することが出来、さらに被包装体をシュリンク包装後にミシン目加工するのでシュリンク包装前にミシン目加工するより包装仕上がりが悪かったり、ミシン目が破れたりすることが全く無くなる。又本考案のシュリンクフイルムのミシン目加工装置は構造が簡単で制作コストが低減出来る。
【図面の簡単な説明】
【００１４】
【図１】本考案のシュリンクフイルムのミシン目加工装置実施例を示す図。
【図２】カッターアームを拡大した斜視図。
【図３】カッターアームの断面図。
【図４ａ】ミシン目加工装置の上から見た平面図。
【図４ｂ】ミシン目加工装置の下流から見た側面図。
【図５ａ】ミシン目加工装置の全体の側面図。
【図５ｂ】カッターアームを最下位に位置させた状態を示す部分側面図。
【図６ａ】ミシン目加工装置の全体の側面図。
【図６ｂ】ミシン目位置を左右にずらした部分側面図。
【図７】ミシン目を開けた斜視図。
【考案を実施するための形態】
【００１５】以下本考案を実施の形態を図に基づいて説明する。
【実施例】
【実施例１】
【００１６】図１に示すように、従来シュリンク包装前のミシン目加工ではなく、シュリンク包装後にミシン目加工を施すので、これまでの包装仕上がりが悪くなったり、ミシン目が破れることが無いシュリンクフイルムの孔あけ装置。【００１７】本考案はシュリンク後にミシン目加工を施すのであらゆるシュリンク包装機に適合するような架台（７−ｄ）を設けているシュリンクフイルム孔あけ装置。【００１８】本考案はシュリンク包装後にミシン目加工を施すので、被包装体が紙箱の様に柔らかい場合ミシン目加工の時に被包装体を傷つける場合がある。そこでどんな材質の被包装体でも、２つの回転体で回転するベルトコンベアー（１）のベルト（１−ｃ）に衝撃吸収シート（１−ａ）を接着層（１―ｂ）を介しベルトコンベアー（１）のベルト（１−ｃ）に衝撃吸収シート（１−ａ）を接着層（１―ｂ）を介して貼りつけてミシン目の刃の荷重が均一になるように構成されている。【００１９】図４に示すように、本考案のシュリンクフイルムのミシン目加工装置において被包装体（９）の巾を巾規制ガイド（６−ａ及び６−ｂ）に直結しているレバー（５−ａ〜５−ｄ）をゆるめてスケール（５−ｅ）に合わせ止める装置である。又図５に示すように被包装体の高さを高さ制御ガイド（７−ｂ）と直結している高さを変えるレバー（７−ａ）をゆるめてスケール（７−ｃ）に合わせ止める装置である。又図６に示すように被包装体（９）に対するシュリンクフイルムに施すミシン目の位置を位置規制ガイド（８−ｂ）と直結しているレバー（８−ａ）をゆるめてスケール（８−ｃ）に合わせ止める装置である。全ての位置を容易に調節出来る様に設計されていて、このことはシュリンク包装の現場で作業されているのは、ほとんど女性であり、複雑な構造は一切省いている。
【実施例２】
【００２０】図３に示すようにミシ刃を２枚重ねミシン刃の切れ目がランダムになるようにしたシュリンクフイルム孔あけ装置。
図７に示すようにミシン目の開け方は、一般消費者が最も慣れ親しんでいるポケットティッシュの開け方にした。【００２１】実施例１及び実施例２における上記シュリンクフイルム孔あけ装置は構造が簡単で制作コストが低減出来、更に使用者側にも配慮した最も開けやすい構造をしている。
【産業上の利用可能性】
【００２２】本考案はＣＤ、ＤＶＤの包装容器のシュリンク包装、又はノート等の単体又はそれらの集合体の包装をシュリンク包装する産業に利用される。
【符号の説明】
【００２３】  １          ベルトコンベア
１−ａ      衝撃吸収シート
１−ｂ      接着層
１−ｃ      ベルト
２          ミシン刃
３          カッターアーム
３−ａ      ベアリング
３−ｂ      ベアリング
３−ｃ      ヒンジピン
３−ｄ      片持ピン
３−ｅ      金属カラー
３−ｆ      ウレタンクッション
３−ｇ      ワッシャ
３−ｈ      ボルト
３−ｉ      ナット
４−ａ      カッターアーム制御棒
４−ｂ      カッターアーム制御棒
５−ａ、５−ｂ、５−ｃ、５−ｄ    被包装体の巾を変えるスライドレバー
５−ｅ      スケール
６‐ａ，６−ｂ      包装体巾規制ガイド
７−ａ      ミシン目の高さを変えるスライドレバー
７−ｂ      ミシン目の高さを変える規制ガイド
７−ｃ      スケール
７−ｄ      架台
８−ａ      被包装体に対するシュリンクフイルムに施すミシン目の位置を変えるスラ            イドレバー
８−ｂ      ミシン目の位置を変え位置規制ガイド
８−ｃ      スケール
９          シュリンク包装を施した被包装体
９−ａ      シュリンク包装を施した最小の大きさの被包装体
１０          ミシン目に沿ってシュリンクフイルムを開封した状態の包装体の斜視図
【図１】
0003199355.tif 000003
【図２】
0003199355.tif 000004
【図３】
0003199355.tif 000005
【図４】
0003199355.tif 000006
【図５】
0003199355.tif 000007
【図６】
0003199355.tif 000008
【図７】
0003199355.tif 000009